(57)【特許請求の範囲】
【請求項１】
被写体結像用のレンズと、該レンズより入射した光を光電変換する撮像素子と、該撮像素子に入射する光を減光させる減光フィルタと、該減光フィルタを前記レンズの光路上に着脱させるための減光フィルタ着脱切替手段とを備えた撮像装置において、
前記撮像素子で光電変換された信号のホワイトバランス状態を最適状態に設定するホワイトバランスセット手段と、
予め、前記減光フィルタを光路上に着装されている場合と着装されていない場合において前記ホワイトバランスセット手段による設定を実行した結果に基づいて測定した前記減光フィルタが有する色味の度合を表す値を記憶する記憶手段と、
前記ホワイトバランスセット手段が前記設定を行ったときに、前記減光フィルタ着脱切替手段が前記減光フィルタを光路上に着装させていたか否か、及び現在前記減光フィルタ着脱切替手段が前記減光フィルタを光路上に着装させているか否かに応じて、前記ホワイトバランスセット手段によって設定されたホワイトバランス状態に補正を行うホワイトバランス補正手段とを有し、
前記ホワイトバランス補正手段は、前記ホワイトバランスセット手段が前記設定を行ったときに、前記減光フィルタ着脱切替手段が前記減光フィルタを光路上に着装させており、現在前記減光フィルタ着脱切替手段が前記減光フィルタを光路上から離脱させている場合、前記ホワイトバランスセット手段によって設定されたホワイトバランス状態における利得制御信号から、前記記憶手段により記憶された減光フィルタが有する色味の度合を表す値を減算することによって前記補正を行い、前記ホワイトバランスセット手段が前記設定を行ったときに、前記減光フィルタ着脱切替手段が前記減光フィルタを光路上から離脱させており、現在前記減光フィルタ着脱切替手段が前記減光フィルタを光路上に着装させている場合、前記ホワイトバランスセット手段によって設定されたホワイトバランス状態における利得制御信号に、前記記憶手段により記憶された減光フィルタが有する色味の度合を表す値を加算することによって前記補正を行うことを特徴とする撮像装置。
【請求項２】
前記ホワイトバランス補正手段は、前記ホワイトバランスセット手段が前記設定を行ったときと現在とにおいて、前記減光フィルタの光路上への着脱状態に変化がない場合、前記ホワイトバランスセット手段によって設定されたホワイトバランス状態をそのまま維持することを特徴とする請求項１に記載の撮像装置。
【請求項３】
被写体結像用のレンズと、該レンズより入射した光を光電変換する撮像素子と、該撮像素子に入射する光を減光させる減光フィルタと、該減光フィルタを前記レンズの光路上に着脱させるための減光フィルタ着脱切替手段とを備えた撮像装置に適用されるホワイトバランス補正方法において、
前記撮像素子で光電変換された信号のホワイトバランス状態を最適状態に設定するホワイトバランスセットステップと、
予め、前記減光フィルタを光路上に着装されている場合と着装されていない場合において前記ホワイトバランスセット手段による設定を実行した結果に基づいて測定した前記減光フィルタが有する色味の度合を表す値を記憶手段に記憶する記憶ステップと、
前記ホワイトバランスセットステップが前記設定を行ったときに、前記減光フィルタ着脱切替手段が前記減光フィルタを光路上に着装させていたか否か、及び現在前記減光フィルタ着脱切替手段が前記減光フィルタを光路上に着装させているか否かに応じて、前記ホワイトバランスセットステップによって設定されたホワイトバランス状態に補正を行うホワイトバランス補正ステップとを有し、
前記ホワイトバランス補正ステップは、前記ホワイトバランスセットステップが前記設定を行ったときに、前記減光フィルタ着脱切替手段が前記減光フィルタを光路上に着装させており、現在前記減光フィルタ着脱切替手段が前記減光フィルタを光路上から離脱させている場合、前記ホワイトバランスセットステップによって設定されたホワイトバランス状態における利得制御信号から、前記記憶手段により記憶された減光フィルタが有する色味の度合を表す値を減算することによって前記補正を行い、前記ホワイトバランスセットステップが前記設定を行ったときに、前記減光フィルタ着脱切替手段が前記減光フィルタを光路上から離脱させており、現在前記減光フィルタ着脱切替手段が前記減光フィルタを光路上に着装させている場合、前記ホワイトバランスセットステップによって設定されたホワイトバランス状態における利得制御信号に、前記記憶手段により記憶された減光フィルタが有する色味の度合を表す値を加算することによって前記補正を行うことを特徴とするホワイトバランス補正方法。
【請求項４】
前記ホワイトバランス補正ステップは、前記ホワイトバランスセットステップが前記設定を行ったときと現在とにおいて、前記減光フィルタの光路上への着脱状態に変化がない場合、前記ホワイトバランスセットステップによって設定されたホワイトバランス状態をそのまま維持することを特徴とする請求項３に記載のホワイトバランス補正方法。
【請求項５】
被写体結像用のレンズと、該レンズより入射した光を光電変換する撮像素子と、該撮像素子に入射する光を減光させる減光フィルタと、該減光フィルタを前記レンズの光路上に着脱させるための減光フィルタ着脱切替手段とを備えた撮像装置に適用されるホワイトバランス補正方法をプログラムとして記憶した、コンピュータにより読み出し可能な記憶媒体において、
前記ホワイトバランス補正方法が、
前記撮像素子で光電変換された信号のホワイトバランス状態を最適状態に設定するホワイトバランスセットステップと、
予め、前記減光フィルタを光路上に着装されている場合と着装されていない場合において前記ホワイトバランスセット手段による設定を実行した結果に基づいて測定した前記減光フィルタが有する色味の度合を表す値を記憶手段に記憶する記憶ステップと、
前記ホワイトバランスセットステップが前記設定を行ったときに、前記減光フィルタ着脱切替手段が前記減光フィルタを光路上に着装させていたか否か、及び現在前記減光フィルタ着脱切替手段が前記減光フィルタを光路上に着装させているか否かに応じて、前記ホワイトバランスセットステップによって設定されたホワイトバランス状態に補正を行うホワイトバランス補正ステップとを有し、
前記ホワイトバランス補正ステップは、前記ホワイトバランスセットステップが前記設定を行ったときに、前記減光フィルタ着脱切替手段が前記減光フィルタを光路上に着装させており、現在前記減光フィルタ着脱切替手段が前記減光フィルタを光路上から離脱させている場合、前記ホワイトバランスセットステップによって設定されたホワイトバランス状態における利得制御信号から、前記記憶手段により記憶された減光フィルタが有する色味の度合を表す値を減算することによって前記補正を行い、前記ホワイトバランスセットステップが前記設定を行ったときに、前記減光フィルタ着脱切替手段が前記減光フィルタを光路上から離脱させており、現在前記減光フィルタ着脱切替手段が前記減光フィルタを光路上に着装させている場合、前記ホワイトバランスセットステップによって設定されたホワイトバランス状態における利得制御信号に、前記記憶手段により記憶された減光フィルタが有する色味の度合を表す値を加算することによって前記補正を行うことを特徴とする記憶媒体。
【発明の詳細な説明】
【０００１】
【発明の属する技術分野】
本発明は、撮像装置、ホワイトバランス補正方法、及び記憶媒体に関し、特に、被写体結像用のレンズと、該レンズより入射した光を光電変換する撮像素子と、該撮像素子に入射する光を減光させる減光フィルタと、該減光フィルタを前記レンズの光路上に着脱させるための減光フィルタ着脱切替手段とを備えた撮像装置、当該撮像に適用されるホワイトバランス補正方法、及び当該ホワイトバランス補正方法を実行するプログラムを記憶した記憶媒体に関する。
【０００２】
上記撮像装置としてはカメラ一体型ＶＴＲ等の形態を取りうる。
【０００３】
【従来の技術】
従来、ビデオカメラの撮像装置に対するホワイトバランス制御において、オートホワイトバランスモード、ホワイトバランスセットモード等の制御モードが提案されている。この中で、特にホワイトバランスセットモードに関する従来技術について、図３及び図４を参照して説明する。
【０００４】
図３は、従来の撮像装置の構成を示すブロック図である。
【０００５】
同図において、３０１は結像用レンズ、３０２は減光を行うためのＮＤフィルタ、３０３は光量を調整するためのアイリス、３１０はＮＤフィルタ３０２を光路に対して出し入れするためのＮＤ入／出切り換えレバー、３０４はＣＣＤ等の撮像素子、３０５はＣＤＳ／ＡＧＣ回路（二重相関サンプリング回路／自動利得制御回路）、３０６はアナログの映像信号をデジタル信号に変換するためのＡ／Ｄコンバータ、３０７はカメラ信号処理回路、３０８はカメラ信号処理回路３０７によって生成されたテレビジョン信号、３０９はカメラマイコン、３１１はホワイトバランスモード選択スイッチであり、ホワイトバランスモード選択スイッチ３１１は、オートホワイトバランスモードやホワイトバランスセットモード等のホワイトバランスモードを使用者が選択するためのスイッチである。３１２はホワイトバランスセットが行われて得られるＲゲインとＢゲインとを格納するためのＥＥＰＲＯＭである。
【０００６】
カメラ信号処理同路３０７において、３２ｎは輝度色度信号生成回路であり、Ａ／Ｄコンバーター３０６によってデジタルに変換された映像信号を輝度信号ＹＨ（高周波成分），ＹＬ（低周波成分）と色度信号Ｒ（赤色信号），Ｂ（青色信号）とに変換する。３２１は赤色信号Ｒに対するＲゲイン利得制御回路、３２２は青色信号Ｂに対するＢゲイン利得制御回路、３２３は色差信号生成回路であり、色差信号生成回路３２３は、Ｒゲイン利得制御回路３２１、Ｂゲイン利得制御回路３２２においてそれぞれ増幅された色度信号Ｒ'，Ｂ'と輝度信号ＹＬ（低周波成分）とから色差信号Ｒ−Ｙ，Ｂ−Ｙを生成する。３２４はエンコーダーであり、色差信号Ｒ−Ｙ，Ｂ−Ｙ、輝度信号ＹＨ（高周波成分）からテレビジョン信号３０８を生成する。
【０００７】
図４は、従来技術のホワイトバランスセットモードにおけるカメラマイコン３０９の処理内容を示すフローチャートである。
【０００８】
Ｓ４０１…ホワイトバランスモード選択スイッチ３１１によって、ホワイトバランスモードとして、オートホワイトバランスモードが選択されているか、ホワイトバランスセットモードが選択されているかを判別する。オートホワイトバランスモードが選択されていれば処理を終了し、ホワイトバランスセットモードが選択されていればステップＳ４０２へ進む。
【０００９】
Ｓ４０２…ＥＥＰＲＯＭ３１２に格納されていたＲゲインをＲゲイン利得制御回路３２１にＲゲイン利得制御信号として出力する。
【００１０】
Ｓ４０３…ＥＥＰＲＯＭ３１２に格納されていたＢゲインをＢゲイン利得制御回路３２２にＢゲイン利得制御信号として出力する。
【００１１】
次に、具体的な動作について詳細に説明する。
【００１２】
図３に示すように、被写体からの光学像はレンズ３０１を通り、ＮＤフィルタ３０２によって減光された後、アイリス３０３によって適正露出に制御され、ＣＣＤ３０４に結像される。ＣＣＤ３０４によって光電変換された映像信号はＣＤＳ／ＡＧＣ回路３０５によってノイズ除去、利得制御が行われた後、Ａ／Ｄコンバーター３０６でデジタル信号に変換されてカメラ信号処理回路３０７内部の輝度色度信号生成回路３２０に送られる。輝度色度信号生成回路３２０では、輝度信号の高周波成分ＹＨと低周波成分ＹＬと赤色信号Ｒと青色信号Ｂとが生成される。輝度色度信号生成回路３２０で生成された赤色信号Ｒ、青色信号Ｂはそれぞれ、Ｒゲイン利得制御回路３２１とＢゲイン利得制御回路３２２とに入力され、そこでカメラマイコン３０９から送られたＲゲイン利得制御信号とＢゲイン利得制御信号とに基づき増幅が行われ、それぞれ色度信号Ｒ’，Ｂ’として出力される。そして、これらの色度信号Ｒ’，Ｂ’は、前記輝度信号の低周波成分ＹＬと共に色差信号生成回路３２３に入力され、ここで色差信号Ｒ−Ｙ，Ｂ−Ｙが生成される。ここで生成された色差信号Ｒ−Ｙ，Ｂ−Ｙはカメラマイコン３０９へ送られるとともに、エンコーダー回路３２４へ送られる。エンコーダー回路３２４には前記輝度信号の高周波成分ＹＨも入力され、ここで標準テレビジョン信号３０８が生成されて出力される。
【００１３】
カメラマイコン３０９は、ホワイトバランスモード選択スイッチ３１１のスイッチ状態を読み取り、該スイッチ３１１がオートホワイトバランスモードを選択しているか、ホワイトバランスセットモードを選択しているかを判断する。ホワイトバランスセットモードが選択されている場合、カメラマイコン３０９は、色差信号生成回路３２３から送られる色差信号Ｒ−Ｙ，Ｂ−Ｙが予め定められたレベルになるようにＲゲイン利得制御信号（Ｒゲイン）とＢゲイン利得制御信号（Ｂゲイン）とを生成し、これらの信号をＲゲイン利得制御回路３２１とＢゲイン利得制御回路３２２とにそれぞれ出力する。
【００１４】
ホワイトバランスセットモードの実行によりＲゲイン利得制御信号（Ｒゲイン）とＢゲイン利得制御信号（Ｂゲイン）とが生成されると、これらはＥＥＰＲＯＭ３１２に格納される。なお従来、こうして格納されたＲゲイン利得制御信号（Ｒゲイン）とＢゲイン利得制御信号（Ｂゲイン）とは、その後にホワイトバランスモード選択スイッチ３１１が操作されて、ホワイトバランスモードがオートホワイトバランスモードに変わり、再度ホワイトバランスセットモードに戻っても、また、カメラ本体の主電源がオフされて再度オンされても、バックアップされているのが一般的である。
【００１５】
この場合のカメラマイコン３０９の動作を、図４に示すフローチャートに沿って説明する。
【００１６】
すなわち、カメラマイコン３０９は、ホワイトバランスモード選択スイッチ３１１によってオートホワイトバランスモードが選択されているか、ホワイトバランスセットモードが選択されているかを判別する（Ｓ４０１）。もし、ホワイトバランスモードとしてオートホワイトバランスモードが選択されていれば処理を終了する。もし、ホワイトバランスモードとしてホワイトバランスセットモードが選択されていれば、ステップＳ４０２に進み、ＥＥＰＲＯＭ３１２に格納されていたＲゲインをＲゲイン利得制御回路３２１にＲゲイン利得制御信号として出力する（Ｓ４０２）。次に、ＥＥＰＲＯＭ３１２に格納されていたＢゲインをＢゲイン利得制御回路３２２にＢゲイン利得制御信号として出力する（Ｓ４０３）。
【００１７】
【発明が解決しようとする課題】
ところで、ＮＤフィルタ３０２は、使用者がＮＤ入／出切り換えレバー３１０を操作することにより光路中に出し入れされ、その使用／不使用を選択することができる。このＮＤフィルタ３０２の基本的な使用では、被写体の輝度が高い場合においてはＮＤフィルタ３０２を光路に入れて、アイリス３０３による小絞り回折現象を防ぐと効果的である。また、被写体の輝度が低い場合においてはＮＤフィルタ３０２を光路から出して感度を上げて使用する。
【００１８】
こうしたＮＤフィルタ３０２は無色であることが好ましいのだが、実際にはＮＤフィルタ３０２を量産するときに分光特性のバラツキが発生して、赤みのあるものや青みがかったもの等、様々な色味の付いたＮＤフィルタが量産されてしまう。
【００１９】
このような分光特性のバラツキがあるＮＤフィルタを用いると、例えば図５（Ａ）のように、ＮＤフィルタをＯＦＦ（不使用）の状態でホワイトバランスセットモードの処理を行ってベクトルスコープ上の中心に輝点が存在するように設定した（被写体は白となっている）後、ＮＤフィルタをＯＮ（使用）の状態にすると［図５（Ｂ）］、ＮＤフィルタに色味が付いていることが原因で撮像結果に色味がかかる。図５（Ｂ）に示すように、ベクトルスコープ上の輝点の位置が中心からずれてしまい、この場合はオレンジの色味が付いてしまう。
【００２０】
この時、図５（Ｃ）のように、同じＮＤフィルタをＯＮ（使用）にした状態でホワイトバランスセットモードの処理を行ってベクトルスコープ上の中心に輝点が存在するように設定した（被写体は白となっている）後、ＮＤフィルタをＯＦＦ（不使用）の状態にすると［図５（Ｄ）］、色味の付いていたＮＤフィルタが光路から外されたことが原因で撮像結果に色味がかかる。図５（Ｄ）に示すように、ベクトルスコープ上の輝点の位置が中心からずれてしまい、この場合はオレンジと逆の方向の色味が付いてしまう。
【００２１】
以上説明したように従来の撮像装置では、ＮＤフィルタに色味が付いていることが原因で、譬えＮＤフィルタが光路に入っている状態でホワイトバランスセットモードの処理を行い、その時のＲゲインとＢゲインとをバックアップしたとしても、その後、ＮＤフィルタを光路から抜いた場合は、ＮＤフィルタに付いている色味の分だけホワイトバランスがずれてしまう。またその逆で、ＮＤフィルタが光路から抜けている状態でホワイトバランスセットを行い、その時のＲゲインとＢゲインとをバックアップしたとしても、その後、ＮＤフィルタが光路に入った場合はＮＤフィルタに付いている色味の分だけホワイトバランスがずれてしまうという問題点があった。
【００２２】
本発明はこのような問題点に鑑みてなされたものであって、光路に対する減光フィルタの出し入れに影響されないホワイトバランスセットモードの色再現を可能とする撮像装置、ホワイトバランス補正方法、及び記憶媒体を提供することを目的とする。
【００２３】
【課題を解決するための手段】
上記目的を達成するために、請求項１記載の発明によれば、被写体結像用のレンズと、該レンズより入射した光を光電変換する撮像素子と、該撮像素子に入射する光を減光させる減光フィルタと、該減光フィルタを前記レンズの光路上に着脱させるための減光フィルタ着脱切替手段とを備えた撮像装置において、前記撮像素子で光電変換された信号のホワイトバランス状態を最適状態に設定するホワイトバランスセット手段と、予め、前記減光フィルタを光路上に着装されている場合と着装されていない場合において前記ホワイトバランスセット手段による設定を実行した結果に基づいて測定した前記減光フィルタが有する色味の度合を表す値を記憶する記憶手段と、前記ホワイトバランスセット手段が前記設定を行ったときに、前記減光フィルタ着脱切替手段が前記減光フィルタを光路上に着装させていたか否か、及び現在前記減光フィルタ着脱切替手段が前記減光フィルタを光路上に着装させているか否かに応じて、前記ホワイトバランスセット手段によって設定されたホワイトバランス状態に補正を行うホワイトバランス補正手段とを有し、前記ホワイトバランス補正手段は、前記ホワイトバランスセット手段が前記設定を行ったときに、前記減光フィルタ着脱切替手段が前記減光フィルタを光路上に着装させており、現在前記減光フィルタ着脱切替手段が前記減光フィルタを光路上から離脱させている場合、前記ホワイトバランスセット手段によって設定されたホワイトバランス状態における利得制御信号から、前記記憶手段により記憶された減光フィルタが有する色味の度合を表す値を減算することによって前記補正を行い、前記ホワイトバランスセット手段が前記設定を行ったときに、前記減光フィルタ着脱切替手段が前記減光フィルタを光路上から離脱させており、現在前記減光フィルタ着脱切替手段が前記減光フィルタを光路上に着装させている場合、前記ホワイトバランスセット手段によって設定されたホワイトバランス状態における利得制御信号に、前記記憶手段により記憶された減光フィルタが有する色味の度合を表す値を加算することによって前記補正を行うことを特徴とする。
【００２４】
上記目的を達成するために、請求項３記載の発明によれば、被写体結像用のレンズと、該レンズより入射した光を光電変換する撮像素子と、該撮像素子に入射する光を減光させる減光フィルタと、該減光フィルタを前記レンズの光路上に着脱させるための減光フィルタ着脱切替手段とを備えた撮像装置に適用されるホワイトバランス補正方法において、前記撮像素子で光電変換された信号のホワイトバランス状態を最適状態に設定するホワイトバランスセットステップと、予め、前記減光フィルタを光路上に着装されている場合と着装されていない場合において前記ホワイトバランスセット手段による設定を実行した結果に基づいて測定した前記減光フィルタが有する色味の度合を表す値を記憶手段に記憶する記憶ステップと、前記ホワイトバランスセットステップが前記設定を行ったときに、前記減光フィルタ着脱切替手段が前記減光フィルタを光路上に着装させていたか否か、及び現在前記減光フィルタ着脱切替手段が前記減光フィルタを光路上に着装させているか否かに応じて、前記ホワイトバランスセットステップによって設定されたホワイトバランス状態に補正を行うホワイトバランス補正ステップとを有し、前記ホワイトバランス補正ステップは、前記ホワイトバランスセットステップが前記設定を行ったときに、前記減光フィルタ着脱切替手段が前記減光フィルタを光路上に着装させており、現在前記減光フィルタ着脱切替手段が前記減光フィルタを光路上から離脱させている場合、前記ホワイトバランスセットステップによって設定されたホワイトバランス状態における利得制御信号から、前記記憶手段により記憶された減光フィルタが有する色味の度合を表す値を減算することによって前記補正を行い、前記ホワイトバランスセットステップが前記設定を行ったときに、前記減光フィルタ着脱切替手段が前記減光フィルタを光路上から離脱させており、現在前記減光フィルタ着脱切替手段が前記減光フィルタを光路上に着装させている場合、前記ホワイトバランスセットステップによって設定されたホワイトバランス状態における利得制御信号に、前記記憶手段により記憶された減光フィルタが有する色味の度合を表す値を加算することによって前記補正を行うことを特徴とする。
【００２５】
上記目的を達成するために、請求項５記載の発明によれば、被写体結像用のレンズと、該レンズより入射した光を光電変換する撮像素子と、該撮像素子に入射する光を減光させる減光フィルタと、該減光フィルタを前記レンズの光路上に着脱させるための減光フィルタ着脱切替手段とを備えた撮像装置に適用されるホワイトバランス補正方法をプログラムとして記憶した、コンピュータにより読み出し可能な記憶媒体において、前記ホワイトバランス補正方法が、前記撮像素子で光電変換された信号のホワイトバランス状態を最適状態に設定するホワイトバランスセットステップと、予め、前記減光フィルタを光路上に着装されている場合と着装されていない場合において前記ホワイトバランスセット手段による設定を実行した結果に基づいて測定した前記減光フィルタが有する色味の度合を表す値を記憶手段に記憶する記憶ステップと、前記ホワイトバランスセットステップが前記設定を行ったときに、前記減光フィルタ着脱切替手段が前記減光フィルタを光路上に着装させていたか否か、及び現在前記減光フィルタ着脱切替手段が前記減光フィルタを光路上に着装させているか否かに応じて、前記ホワイトバランスセットステップによって設定されたホワイトバランス状態に補正を行うホワイトバランス補正ステップとを有し、前記ホワイトバランス補正ステップは、前記ホワイトバランスセットステップが前記設定を行ったときに、前記減光フィルタ着脱切替手段が前記減光フィルタを光路上に着装させており、現在前記減光フィルタ着脱切替手段が前記減光フィルタを光路上から離脱させている場合、前記ホワイトバランスセットステップによって設定されたホワイトバランス状態における利得制御信号から、前記記憶手段により記憶された減光フィルタが有する色味の度合を表す値を減算することによって前記補正を行い、前記ホワイトバランスセットステップが前記設定を行ったときに、前記減光フィルタ着脱切替手段が前記減光フィルタを光路上から離脱させており、現在前記減光フィルタ着脱切替手段が前記減光フィルタを光路上に着装させている場合、前記ホワイトバランスセットステップによって設定されたホワイトバランス状態における利得制御信号に、前記記憶手段により記憶された減光フィルタが有する色味の度合を表す値を加算することによって前記補正を行うことを特徴とする。
【００２６】
【発明の実施の形態】
以下、本発明の実施の形態を、図面を参照して説明する。
【００２７】
図１は、本発明の実施形態に係る撮像装置の構成を示すブロック図である。なお、図１に示す参照番号３０１〜３０８，３１０〜３１２，３２０〜３２４で表す構成部分は、図３に示した従来装置の同一参照番号の構成部分とそれぞれ同一のものであるので、同一参照番号を付すとともに、その説明を省略する。
【００２８】
本発明の実施形態では、システムコントロールを行うためのカメラマイコン１０２が新たに設けられ、ＮＤ入／出切り換えレバー３１０からこのカメラマイコン１０２へ、ＮＤフィルタ３０２の光路への入出力状態を示すＮＤ入／出状態検出信号１０１が送られる。
【００２９】
また、ＥＥＰＲＯＭ３１２には、ホワイトバランスセットモード処理の実行により生成されたＲゲイン利得制御信号（Ｒゲイン）とＢゲイン利得制御信号（Ｂゲイン）とが格納されるが、同時に、ホワイトバランスセットモード処理が行われた時にＮＤフィルタ３０２がＯＮ（使用）だったか、ＯＦＦ（不使用）だったかを示す情報が格納される。さらにＥＥＰＲＯＭ３１２には、ＮＤフィルタ３０２の色味の情報α，βが格納される。色味の情報α，βは、本来無色である筈のＮＤフィルタ３０２が有している色味を予め測定して得た値であり、情報αはＲゲインに対する色味の情報であり、情報βはＢゲインに対する色味の情報である。上記ＮＤフィルタ３０２の色味の測定は、ＮＤフィルタ３０２の使用及び不使用においてホワイトバランスセットモードの処理を実行することによって行われる。
【００３０】
図２は、カメラマイコン１０２における処理内容を示すフローチャートである。なお、図２に示すステップ番号Ｓ４０１〜４０３で表す処理は、図４に示した従来装置の同一ステップ番号Ｓの処理とそれぞれ同一のものであるので、同一ステップ番号を付すとともに、その説明を省略する。
【００３１】
Ｓ２０１…ＥＥＰＲＯＭ３１２に格納されている情報から、ホワイトバランスセットモードの処理が行われた時にＮＤフィルタ３０２がＯＮだったかＯＦＦだったかを判別する。ＮＤフィルタ３０２がＯＮだったならばステップＳ２０５へ進み、ＮＤフィルタ３０２がＯＦＦだったならばステップＳ２０２へ進む。
【００３２】
Ｓ２０２…ＮＤ入／出切り換えレバー３１０から送られているＮＤ入／出状態検出信号１０１を基に、ＮＤフィルタ３０２が光路へ入っている状態（ＯＮ）を示しているか否かを判別する。光路へ入っている状態（ＯＮ）を示しているならばステップＳ２０３へ進み、光路へ入っていない状態（ＯＦＦ）を示しているならば処理を終了する。
【００３３】
Ｓ２０３…ＥＥＰＲＯＭ３１２に格納されていたＲゲイン及びＮＤフィルタ３０２の色味の情報αを読み出し、Ｒゲインに色味の情報αを加算して得られた値をＲゲイン利得制御信号としてＲゲイン利得制御回路３２１に出力する。
【００３４】
Ｓ２０４…ＥＥＰＲＯＭ３１２に格納されていたＢゲイン及びＮＤフィルタ３０２の色味の情報βを読み出し、Ｂゲインに色味の情報βを加算して得られた値をＢゲイン利得制御信号としてＢゲイン利得制御回路３２２に出力する。
【００３５】
Ｓ２０５…ＮＤ入／出切り換えレバー３１０から送られているＮＤ入／出状態検出信号１０１を基に、ＮＤフィルタ３０２が光路へ入っている状態（ＯＮ）を示しているか否かを判別する。光路へ入っている状態（ＯＮ）を示しているならば処理を終了し、光路へ入っていない状態（ＯＦＦ）を示しているならばステップＳ２０６へ進む。
【００３６】
Ｓ２０６…ＥＥＰＲＯＭ３１２に格納されていたＲゲイン及びＮＤフィルタ３０２の色味の情報αを読み出し、Ｒゲインから色味の情報αを減算して得られた値をＲゲイン利得制御信号としてＲゲイン利得制御回路３２１に出力する。
【００３７】
Ｓ２０７…ＥＥＰＲＯＭ３１２に格納されていたＢゲイン及びＮＤフィルタ３０２の色味の情報βを読み出し、Ｂゲインから色味の情報βを減算して得られた値をＢゲイン利得制御信号としてＢゲイン利得制御回路３２２に出力する。
【００３８】
次に、ホワイトバランスモードの処理が一度実行されて、Ｒゲイン利得制御信号（Ｒゲイン）とＢゲイン利得制御信号（Ｂゲイン）とがＥＥＰＲＯＭ３１２に格納された後のカメラマイコン１０２の動作を、図１及び図２を参照して説明する。
【００３９】
すなわち、カメラマイコン１０２は、ホワイトバランスモード選択スイッチ３１１によってオートホワイトバランスモードが選択されているか、ホワイトバランスセットモードが選択されているかを判別する（Ｓ４０１）。もし、ホワイトバランスモードとしてオートホワイトバランスモードが選択されていれば処理を終了する。もし、ホワイトバランスモードとしてホワイトバランスセットモードが選択されていれば、ステップＳ４０２に進み、ＥＥＰＲＯＭ３１２に格納されていたＲゲインをＲゲイン利得制御回路３２１にＲゲイン利得制御信号として出力する（Ｓ４０２）。次に、ＥＥＰＲＯＭ３１２に格納されていたＢゲインをＢゲイン利得制御回路３２２にＢゲイン利得制御信号として出力する（Ｓ４０３）。なお、Ｒゲイン利得制御回路３２１に出力されたＲゲイン利得制御信号、及びＢゲイン利得制御回路３２２に出力されたＢゲイン利得制御信号は、次に説明する処理（ステップＳ２０１〜Ｓ２０７）によって変更（補正）される可能性がある。
【００４０】
次に、ＥＥＰＲＯＭ３１２に格納されている情報から、ホワイトバランスセットモードの処理が行われた時にＮＤフィルタ３０２がＯＮだったか否かを判別する（Ｓ２０１）。
【００４１】
この判別の結果、ＮＤフィルタ３０２がＯＦＦだったならば、ＮＤ入／出切り換えレバー３１０から送られているＮＤ入／出状態検出信号１０１を基に、ＮＤフィルタ３０２が光路へ入っている状態（ＯＮ）を示しているか否かを判別する（Ｓ２０２）。もし、ＮＤフィルタ３０２が光路へ入っていない状態（ＯＦＦ）を示しているならば処理を終了して、ステップＳ４０２，Ｓ４０３でＲゲイン利得制御回路３２１、Ｂゲイン利得制御回路３２２にそれぞれ出力されたＲゲイン利得制御信号及びＢゲイン利得制御信号は変更されない。一方、ＮＤフィルタ３０２が光路へ入っている状態（ＯＮ）を示しているならば、ＥＥＰＲＯＭ３１２に格納されていたＲゲイン及びＮＤフィルタ３０２の色味の情報αを読み出し、Ｒゲインに色味の情報αを加算して得られた値をＲゲイン利得制御信号としてＲゲイン利得制御回路３２１に出力し、ステップＳ４０２で出力されたＲゲイン利得制御信号を変更する（Ｓ２０３）。次に、ＥＥＰＲＯＭ３１２に格納されていたＢゲイン及びＮＤフィルタ３０２の色味の情報βを読み出し、Ｂゲインに色味の情報βを加算して得られた値をＢゲイン利得制御信号としてＢゲイン利得制御回路３２２に出力し、ステップＳ４０３で出力されたＢゲイン利得制御信号を変更する（Ｓ２０４）。
【００４２】
ステップＳ２０１の判別の結果、ＮＤフィルタ３０２がＯＮだったならば、ＮＤ入／出切り換えレバー３１０から送られているＮＤ入／出状態検出信号１０１を基に、ＮＤフィルタ３０２が光路へ入っている状態（ＯＮ）を示しているか否かを判別する（Ｓ２０５）。もし、ＮＤフィルタ３０２が光路へ入っている状態（ＯＮ）を示しているならば処理を終了して、ステップＳ４０２，Ｓ４０３でＲゲイン利得制御回路３２１、Ｂゲイン利得制御回路３２２にそれぞれ出力されたＲゲイン利得制御信号及びＢゲイン利得制御信号は変更されない。一方、ＮＤフィルタ３０２が光路へ入っていない状態（ＯＦＦ）を示しているならば、ＥＥＰＲＯＭ３１２に格納されていたＲゲイン及びＮＤフィルタ３０２の色味の情報αを読み出し、Ｒゲインから色味の情報αを減算して得られた値をＲゲイン利得制御信号としてＲゲイン利得制御回路３２１に出力し、ステップＳ４０２で出力されたＲゲイン利得制御信号を変更する（Ｓ２０６）。次に、ＥＥＰＲＯＭ３１２に格納されていたＢゲイン及びＮＤフィルタ３０２の色味の情報βを読み出し、Ｂゲインから色味の情報βを減算して得られた値をＢゲイン利得制御信号としてＢゲイン利得制御回路３２２に出力し、ステップＳ４０３で出力されたＢゲイン利得制御信号を変更する（Ｓ２０７）。
【００４３】
以上のように処理が行われることによって、図５に示すような従来の例において、図５（Ｂ）及び図５（Ｄ）に示すような輝点のずれが解消され、常時ベクトルスコープ上の中心に輝点が存在するようになる。
【００４４】
なお、本発明は、複数の機器から構成されるシステムに適用しても、あるいは１つの機器からなる装置に適用してもよい。
【００４５】
また、前述した実施形態の機能を実現するソフトウェアのプログラムコードを記憶した記憶媒体を、システムあるいは装置に供給し、そのシステムあるいは装置のコンピュータ（またはＣＰＵやＭＰＵ）が記憶媒体に格納されたプログラムコードを読み出して実行することによっても、本発明が達成されることは言うまでもない。
【００４６】
この場合、記憶媒体から読み出されたプログラムコード自体が、前述の実施形態の機能を実現することになり、そのプログラムコードを記憶した記憶媒体が本発明を構成することになる。
【００４７】
プログラムコードを供給するための記憶媒体として、例えば、フロッピィディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００４８】
また、コンピュータが読み出したプログラムコードを実行することにより、前述した実施形態の機能が実現されるだけでなく、そのプログラムコードの指示に基づき、コンピュータ上で稼働しているＯＳなどが実際の処理の一部または全部を行い、その処理によって前述した実施形態の機能が実現される場合も、本発明に含まれることは言うまでもない。
【００４９】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も、本発明に含まれることは言うまでもない。
【００５０】
【発明の効果】
以上詳述したように本発明によれば、撮像素子で光電変換された信号のホワイトバランス状態を最適状態に設定するホワイトバランスセット手段がこの設定を行ったときに、減光フィルタ着脱切替手段が減光フィルタを光路上に着装させていたか否か、及び現在減光フィルタ着脱切替手段が減光フィルタを光路上に着装させているか否かに応じて、ホワイトバランスセット手段によって設定されたホワイトバランス状態に補正を行う。
【００５１】
例えば、具体的に言うと、ホワイトバランスセット手段が前記設定を行ったときと現在とにおいて、減光フィルタの光路上への着脱状態に変化があった場合に、ホワイトバランスセット手段によって設定されたホワイトバランス状態に対して、減光フィルタが有する色味についての情報に基づいて補正を行う。
【００５２】
これにより、光路に対して減光フィルタの出し入れを行った場合に、その出し入れの前後で発生する被写体のホワイトバランス状態の変動が補正され、見かけ上、ホワイトバランス状態が変動しないようにすることができる。したがって、光路に対する減光フィルタの出し入れに影響されないホワイトバランスセットモードの色再現が可能となる。
【図面の簡単な説明】
【図１】本発明の実施形態に係る撮像装置の構成を示すブロック図である。
【図２】カメラマイコンにおける処理内容を示すフローチャートである。
【図３】従来の撮像装置の構成を示すブロック図である。
【図４】従来技術のホワイトバランスセットモードにおけるカメラマイコンの処理内容を示すフローチャートである。
【図５】ＮＤフィルタを使用した場合及び使用しない場合におけるベクトルスコープを示す図である。
【符号の説明】
１０１  ＮＤ入／出状態検出信号
１０２  カメラマイコン（ホワイトバランスセット手段、ホワイトバランス補正手段）
３０１  レンズ
３０２  ＮＤフィルタ（減光フィルタ）
３０３  アイリス
３０４  ＣＣＤ（撮像素子）
３０５  ＣＤＳ／ＡＧＣ回路
３０６  Ａ／Ｄコンバータ
３０７  カメラ信号処理回路
３０８  テレビジョン信号
３１０  ＮＤ入／出切り換えレバー（減光フィルタ着脱切替手段）
３１１  ホワイトバランスモード選択スイッチ
３１２  ＥＥＰＲＯＭ
３２０  輝度色度信号生成回路
３２１  Ｒゲイン利得制御回路
３２２  Ｂゲイン利得制御回路
３２３  色差信号生成回路
３２４  エンコーダー
【図１】
0004343342.tif 000002
【図２】
0004343342.tif 000003
【図３】
0004343342.tif 000004
【図４】
0004343342.tif 000005
【図５】
0004343342.tif 000006